(57)【特許請求の範囲】
【請求項１】
ワイヤハーネスを支持するためのワイヤハーネス固定用ブラケットであって、
ワイヤハーネスを留める留め具を固定する穴が形成された面を有する立ち上り部と、
前記立ち上がり部に対してほぼ直角に曲げられて他の部材に溶接される溶接面を有する固定部とを備え、
前記立ち上り部から前記固定部の前記溶接面の近傍に亘って凸状の補強ビードが形成されており、
前記固定部の両側の側面部は断面が凸状に形成されている
ことを特徴とするワイヤハーネス固定用ブラケット。
【請求項２】
請求項１記載のワイヤハーネス固定用ブラケットであって、前記固定部の両側の側面部に形成された断面が凸状の領域は、前記固定部の前記補強ビードが形成されている領域から前記溶接面の領域に亘って形成されていることを特徴とするワイヤハーネス固定用ブラケット。
【請求項３】
請求項１記載のワイヤハーネス固定用ブラケットであって、前記固定部の前記溶接面は、スポット溶接により他の部材に固定されることを特徴とするワイヤハーネス固定用ブラケット。
【発明の詳細な説明】
【技術分野】
【０００１】
本発明は、ワイヤハーネスを固定するブラケットに関し、特にワイヤハーネスを比較的高い位置で保持するのに適したワイヤハーネス固定用ブラケットに関する。
【背景技術】
【０００２】
乗用車のシートの下部には、電装部品用の配線を束ねたワイヤハーネスが引き回されている。このワイヤハーネスが車体と擦れて外側の被覆部分が摩耗して内部の配線が露出することによりショート不良が発生するのを防止するために、ワイヤハーネスを固定用ブラケットで保持して、ワイヤハーネスを宙に浮かせた状態で配線している。
【０００３】
このようなワイヤハーネスを固定するワイヤハーネス固定用ブラケットについては、例えば特開２００７−１３７０８４号公報(特許文献１)に記載されている。
【先行技術文献】
【特許文献】
【０００４】
【特許文献１】特開２００７−１３７０８４号公報
【発明の概要】
【発明が解決しようとする課題】
【０００５】
ワイヤハーネスを留め具を用いて金属製のワイヤハーネス固定用ブラケットに装着するときに、作業中に固定用ブラケットに力がかかって固定用ブラケットが変形してしまうのを防止するために、固定用ブラケットには、例えば図４及び図５に示すように、ワイヤハーネス固定用ブラケット４０の立ち上がり部４１から固定部４２にかけて、補強用のビード４３が形成されている。
【０００６】
一方、ワイヤハーネス固定用ブラケット４０は、車体部分４５にスポット溶接で固定されて、車体からの振動を繰り返し受けても固定用ブラケットの位置がずれることのないように、しっかり固定されている。
【０００７】
ワイヤハーネス固定用ブラケット４０を車体部分４５にスポット溶接で接合するためには、スポット溶接機の溶接ヘッドである電極をワイヤハーネス固定用ブラケット４０の溶接する部分と確実に接触させるために、ワイヤハーネス固定用ブラケット４０のスポット溶接する領域は、補強用のビード４３が形成されている領域から離れた領域４４に限定される。
【０００８】
このような条件のもとで、ワイヤハーネスが車体とこすれるのを防ぐために、図６に示すように、ブラケット６０の立ち上がり部分６１を伸ばして、ワイヤハーネス４６を保持する留め具４７を通す穴６６の高さＬを大きく(高く)するというニーズがある。
【０００９】
このように、ワイヤハーネス４６を保持する留め具４７を通す穴６６の高さＬを大きく(高く)したときに、ワイヤハーネス４６を留め具４７で穴６６に固定してワイヤハーネス固定用ブラケット６０に装着する作業中にワイヤハーネス固定用ブラケット６０に立ち上がり部６１に図６で後ろ側から前方に倒すような大きな力が加わってしまった場合、ワイヤハーネス固定用ブラケット６０の固定部６２におけるスポット溶接された領域６４と補強用のビード６３の先端部分とのギャップＧの領域に大きなモーメント力が加わってしまう可能性がある。このような大きなモーメント力がギャップＧの部分にかかった場合、ブラケット６０はギャップＧの部分で折れ曲がってしまい、ワイヤハーネスの配線経路が変わってしまい、他の部品と接触してしまうことにより、事故につながってしまう恐れがある。
【００１０】
本発明は、このようにワイヤハーネスの支持高さを高くした場合に、ワイヤハーネスのブラケットへの装着作業時にブラケットの車体へのスポット溶接個所の近傍に大きなモーメント力がかかっても、変形しないようなワイヤハーネス固定用ブラケットを提供することにある。
【課題を解決するための手段】
【００１１】
上記した課題を解決するために、本発明では、ワイヤハーネスを支持するためのワイヤハーネス固定用ブラケットを、ワイヤハーネスを留める留め具を固定する穴が形成された面を有する立ち上り部と、立ち上がり部に対してほぼ直角に曲げられて他の部材に溶接される溶接面を有する固定部とを備えて構成し、立ち上り部から固定部の溶接面の近傍に亘って凸状の補強ビードを形成し、固定部の両側の側面部は断面を凸状に形成した。
そして、このワイヤハーネス固定用ブラケットの固定部の両側の側面部に形成された断面が凸状の領域は、固定部の補強ビードが形成されている領域から溶接面の領域に亘って形成されるようにした。
【００１２】
更に、このワイヤハーネス固定用ブラケットの固定部の溶接面は、スポット溶接により他の部材に固定されるようにした。
【発明の効果】
【００１３】
本発明によれば、ワイヤハーネスの支持高さを高くした場合に、ワイヤハーネスのブラケットへの装着作業時にブラケットの車体へのスポット溶接個所の近傍に大きなモーメント力がかかっても、変形しないようなワイヤハーネス固定用ブラケットを提供することができる。
【図面の簡単な説明】
【００１４】
【図１】本発明の実施例によるワイヤハーネス固定用ブラケットの斜視図である。
【図２】本発明の実施例における図１のワイヤハーネス固定用ブラケットのＡ−Ａ断面斜視図である。
【図３】本発明の実施例における図１のワイヤハーネス固定用ブラケットのＢ−Ｂ断面斜視図である。
【図４】従来のワイヤハーネス固定用ブラケットの斜視図である。
【図５】従来にワイヤハーネス固定用ブラケットを図１の場合と反対の側から見た斜視図である。
【図６】従来のワイヤハーネス固定用ブラケットの構造でワイヤハーネスの支持高さを高くした場合のワイヤハーネス固定用ブラケットの斜視図である。
【発明を実施するための形態】
【００１５】
本発明は、ワイヤハーネス固定用ブラケットの固定部におけるスポット溶接された領域と補強用のビードの先端部分とのギャップ領域を含む断面の断面係数を大きくして、ブラケット固定部のスポット溶接された領域の境界部に大きなモーメント力が加わってもワイヤハーネス固定用ブラケットが折れ曲がってしまうのを防止したものである。
【００１６】
以下に、本発明の実施例を、図を用いて説明する。
【実施例】
【００１７】
図１に、本実施例による金属製のワイヤハーネス固定用ブラケット１０の外観を示す。
【００１８】
本実施例によるワイヤハーネス固定用ブラケット１０には、図４及び５を用いて説明した従来のワイヤハーネス固定用ブラケット４０に形成していた側面が三角形状の補強用ビード４３に代えて、断面が図３に示すような段差形状の補強用ビード１３を形成した。
【００１９】
また、本実施例によるワイヤハーネス固定用ブラケット１０の立ち上がり部１１は、図４で説明した従来のワイヤハーネス固定用ブラケット４０の立ち上がり部４１よりも高い。すなわち、ワイヤハーネス４６を留め具４７で固定する穴１６の固定部１２からの高さは、図６で説明した穴６６の高さＬに相当する。
【００２０】
さらに、固定部１２には、固定部１２の両側面に沿って図２及び図３に示すように、断面が中央部と比べて立ち上がった段差形状部１４２と１４３とを成型した。図２は図１のＡ−Ａ断面を示し、図３は、図１のＢ−Ｂ断面を示している。固定部１２の断面形状をこのように形成したことにより、図４乃至６に示した段差形状部１４２と１４３とが成型されていない断面形状が平坦である場合と比べて断面係数を大きくすることができ、図２及び３において図面に直角な方向に対する曲げ強度を増加させることができる。
【００２１】
すなわち、図１に示したハーネス固定用ブラケット１０の外観形状において、段差形状の補強用ビード１３をハーネス固定用ブラケット１０の立ち上がり部１１から固定部１２にかけて形成するとともに、固定部１２の長手方向（固定部１２に形成された補強ビード１３の長手方向）に沿って両方の端部付近には、長手方向のほぼ全長に沿って段差形状部１４２と１４３とを成型した。
【００２２】
このような形状のハーネス固定用ブラケット１０は、図１で斜線を施した平坦な領域１４が乗用車の車体部分４５（図４参照）に、スポット溶接により接合され、固定される。この時、スポット溶接される領域１４と固定部１２における段差部１３の先端部分との間にはギャップＤが生じるが、固定部１２の両側の端部付近に形成された段差部１４２と１４３とがスポット溶接される領域１４から段差部１３の先端部分に渡って形成されているので、スポット溶接される領域１４と固定部１２における段差部１３の先端部分との間のギャップＤの部分における断面係数を、図６に示したような段差部１４２と１４３とを形成しなかった場合と比べて大きくすることができ、この部分に大きなモーメント力がかかっても変形しにくくなっている。
【００２３】
このように断面係数を大きくした固定部１２を乗用車の車体部分４５（図４参照）にスポット溶接により接合し固定した後に、ワイヤハーネス４６を留め具４７で立ち上がり部分の穴１６に固定する。このワイヤハーネス４６を留め具４７で立ち上がり部分の穴１６に固定する作業時に、ハーネス固定用ブラケット１０の立ち上がり部１１に大きな力がかけてしまう場合があるが、このような場合であっても、ギャップＤの部分における断面係数が大きくなっているので、図６に示したような従来の形状のブラッケット６０を用いた場合と比べて変形しにくくなっている。
【００２４】
その結果、ワイヤハーネスの支持高さを高くした場合に、大きなモーメント力がスポット溶接される領域１４と固定部１２における段差部１３の先端部分との間のギャップ部分にかかっても、ワイヤハーネス固定用ブラケット１０は折れ曲がって変形してしまう可能性が低くなる。その結果、ワイヤハーネス固定用ブラケット１０でワイヤハーネスを比較的高い位置で安定して支持することができ、ワイヤハーネスが他の部品と接触し被服部分が摩耗して内部の配線が露出してショート事故につながってしまう恐れが少なくなった。
【符号の説明】
【００２５】
１０・・・ワイヤハーネス固定用ブラケット    １１・・・立ち上り部    １２・・・固定部    １３・・・補強用ビード    １４・・・スポット溶接される領域
【図１】
0006346076.tif 000002
【図２】
0006346076.tif 000003
【図３】
0006346076.tif 000004
【図４】
0006346076.tif 000005
【図５】
0006346076.tif 000006
【図６】
0006346076.tif 000007